(57)【要約】【課題】電気機器収納用筐体の内部に設けられる照明装置であって、自由に作業者の思う箇所を照らすことが可能で、少ないスペースでの取り付けが可能な回転式照明ユニットを提供する。【解決手段】電気機器収納用筐体の内部に設けられる照明装置であって、この照明装置は回転保持構造を設けた回転保持金具と、回転保持金具によって電気機器収納用筐体に取り付けられると共に点灯、又は消灯の切り替えが可能となる照明部とからなり、照明部は開口を設けると共に開口を透過部材によって塞いだ箱体と、箱体の内部に収納される光源と、光源をオン状態、又はオフ状態に切り替えるスイッチ部とからなり、スイッチ部に設けられた切替部材が回転保持金具と係合する。【選択図】図３
2009217947.tif 000002
【特許請求の範囲】
【請求項１】
電気機器収納用筐体の内部に設けられる照明装置であって、該照明装置は回転保持構造を設けた回転保持金具と、該回転保持金具によって前記電気機器収納用筐体に取り付けられると共に点灯、又は消灯の切り替えが可能となる照明部とからなり、該照明部は開口を設けると共に該開口を透過部材によって塞いだ箱体と、該箱体の内部に収納される光源と、該光源をオン状態、又はオフ状態に切り替えるスイッチ部とからなり、該スイッチ部に設けられた切替部材が前記回転保持金具と係合することを特徴とする回転式照明ユニット。
【発明の詳細な説明】
【技術分野】
【０００１】
本発明は、電気機器収納用筐体の内部に設けられる回転式の照明装置に関するものである。
【背景技術】
【０００２】
従来、データセンター等において情報通信キャビネット等の電気機器収納用筐体に搭載された機器のメンテナンスは、室内に設置されている蛍光灯等の照明によってなされている。又、これら照明はセキュリティーのため常に点灯状態である場合が多い。
【０００３】
そのため、電力の使用量が嵩みコストがかかっており、又、ＩＳＯ  １４００１等において省エネルギー化が進められていることも加え、電力の使用量を抑える必要があった。
【０００４】
この改善策として、セキュリティー上、問題にならない程度の照明を削減し、特許文献１に記載されているような薄型の照明を電気機器収納用筐体自体に取り付けることが考えられる。
【０００５】
又、懐中電灯等の携帯できる小型の照明を用いることが考えられる。
【特許文献１】特開２００３−２２６６７
【発明の開示】
【発明が解決しようとする課題】
【０００６】
しかしながら、電気機器収納用筐体自体に照明を取り付ける場合、このためのスペースが必要となるため、電気機器収納用筐体に搭載する機器の数を減らす必要があるという欠点ある。
【０００７】
又、懐中電灯等の携帯できる小型の照明を用いる場合、携帯をし忘れる恐れがあるという欠点がある。
【０００８】
又、携帯できる小型の照明を使用している間は片手が使えなくという欠点がある。加えて、両手が使えるように携帯できる小型の照明を固定しておく固定具の設置も考えられるが、そのためにスペースを必要とし、部材が増えるためコストがかかるという欠点がある。
【０００９】
このため、本発明によって解決しようとする課題は、電気機器収納用筐体の内部に設けられる照明装置であって、自由に作業者の思う箇所を照らすことが可能で、少ないスペースで取り付け可能な回転式照明ユニットを提供することにある。
【課題を解決するための手段】
【００１０】
上記した課題を解決するためになされた本発明の回転式照明ユニットは、電気機器収納用筐体の内部に設けられる照明装置であって、この照明装置は回転保持構造を設けた回転保持金具によって電気機器収納用筐体に取り付けられると共に点灯、又は消灯の切り替えが可能となる照明部とからなり、照明部は開口を設けると共に開口を透過部材によって塞いだ箱体と、箱体の内部に収納される光源と、光源をオン状態、又はオフ状態に切り替えるスイッチ部とからなり、スイッチ部に設けられた切替部材が回転保持金具と係合するものである。
【発明の効果】
【００１１】
本発明の回転式照明ユニットによれば、照明部が回転可能に設けられているため、電気機器収納用筐体のメンテナンス作業時等において自由に作業者の思う箇所を照らすことが可能である。
【００１２】
又、メンテナンス作業等のために照明の必要となる電気機器収納用筐体にのみ取り付ければ良く、室内に使用する照明を最小限に抑えられるため、電力の使用量を削減することが可能である。
【００１３】
又、必要とするスペースが少ないため、電気機器収納用筐体内に搭載される機器の邪魔にならず、搭載する機器を減らすことなく取り付けが可能である。
【００１４】
又、照明部が回動可能に設けられているため、電気機器収納用筐体のメンテナンス作業時等において自由に作業者の思う箇所を照らすことが可能である。
【発明を実施するための最良の形態】
【００１５】
本発明では、電気機器収納用筐体の内部に設けられる照明装置を少ないスペースと容易な取り付けで可能にした。
【実施例１】
【００１６】
以下、本発明の実施の形態を説明する。
電気機器収納用筐体の内部に設けられる照明装置であって、照明装置は回転保持構造を設けた回転保持金具１、１１によって電気機器収納用筐体に取り付けられると共に点灯、又は消灯の切り替えが可能な照明部２、１２とからなり、照明部２、１２は開口３を設けると共に開口３を透過部材４によって塞いだ箱体５、１５と、箱体５、１５の内部に収納される光源６と、光源６をオン状態、又はオフ状態に切り替えるスイッチ部７とからなり、スイッチ部７に設けられた切替部材８、１８は回転保持金具１、１１と係合する。回転保持金具１、１１は長板部９、１９からなり、長板部９、１９の一方には筐体取り付け構造を設け、他方には照明部２、１２を保持するための保持部１０、２０と略円形に切り欠いた切欠部を波状に設けてオン状態のままで段階的な保持を可能とした波状切欠部１０１、１１１を設け、スイッチ部７の切替部材８、１８は波状切欠部１０１、１１１に係合し、切替部材８、１８は金属棒１０２、１１２の一端に備えられ、金属棒１０２、１１２の他端には弾性部材１０３が備えられる。波状切欠部１０１、１１１の一部を深く切り欠くことでオフ状態の維持が可能となる。金属棒１０２、１１２には絞り部１０４が設けられており、金属棒１０２、１１２を押し込むことによって内蔵されたリミットスイッチ１０５の接点が入り、光源６がオン状態となる。又、備えられた弾性部材１０３によって金属棒１０２、１１２には戻ろうとする力が働く。これにより、金属棒１０２、１１２を押し込むことで光源６がオン状態となり、そのまま回転させることで波状切欠部１０１、１１１に切替部材８、１８が保持され、オン状態の維持と照射角度の維持が可能となる。照明部２、１２を回転可能に設けることによって、メンテナンス作業時等において作業者の思う箇所を照らすことが可能である。又、照明部１、１２に使用する光源６をＬＥＤで構成することにより、スペースを小さくすることができ、使用電力量も抑えることができることに加えて、光源６として蛍光灯を用いた際の地震等による蛍光灯の破損から機器が傷付く恐れを少なくすることができる。又、光源として寿命の長いＬＥＤを用いることで取替えなどの手間を減らすことが可能である。
【実施例２】
【００１７】
電気機器収納用筐体の内部に設けられる照明装置であって、照明装置は回転保持構造を設けた回転保持金具２１によって電気機器収納用筐体に取り付けられると共に点灯、又は消灯の切り替えが可能な照明部２２とからなり、照明部２２は開口２３を設けると共に開口２３を透過部材２４によって塞いだ箱体２５と、箱体２５の内部に収納される光源と、光源をオン状態、又はオフ状態に切り替えるスイッチ部３７とからなり、スイッチ部３７に設けられた切替部材２８、３８は回転保持金具２１と係合する。回転保持金具２１は長板部２９からなり、長板部２９の一方には筐体取り付け構造を設け、他方には照明部２２を保持するための保持部３０と略円形に切り欠いた切欠部を波状に設けてオン状態のままで段階的な保持を可能とした波状切欠部１２１を設け、さらに延長させて折曲を繰り返すことでケーブルホルダー部１２６を設け、スイッチ部３７の切替部材２８、３８は波状切欠部１２１に係合し、切替部材２８、３８は金属棒１２２、１３２の一端に備えられ、金属棒１２２、１３２の他端には弾性部材１３３が備えられる。波状切欠部１２１の一部を深く切り欠くことでオフ状態の維持が可能となる。金属棒１２２、１３２には絞り部１３４が設けられており、金属棒１２２、１３２を押し込むことによって内蔵されたリミットスイッチ１３５の接点が入り、光源がオン状態となる。又、備えられた弾性部材１３３によって金属棒１２２、１３２には戻ろうとする力が働く。これにより、金属棒１２２、１３２を押し込むことで光源がオン状態となり、そのまま回転させることで波状切欠部１２１に切替部材２８、３８が保持され、オン状態の維持と照射角度の維持が可能となる。照明部２２を回転可能に設けることによって、メンテナンス作業時等において作業者の思う箇所を照らすことが可能である。又、照明部２２に使用する光源をＬＥＤで構成することにより、スペースを小さくすることができ、使用電力量も抑えることができることに加えて、光源として蛍光灯を用いた際の地震等による蛍光灯の破損から機器が傷付く恐れを少なくすることができる。又、光源として寿命の長いＬＥＤを用いることで取替えなどの手間を減らすことが可能である。又、ケーブルホルダー部１２６を設けることで、照明装置への配線や、その他の機器への配線を整線することができ、メンテナンス性の向上を図ることができる。
【実施例３】
【００１８】
電気機器収納用筐体の内部に設けられる照明装置であって、照明装置は回転保持構造を設けた回転保持金具によって電気機器収納用筐体に取り付けられると共に点灯、又は消灯の切り替えが可能な照明部とからなり、照明部は開口を設けると共に開口を透過部材によって塞いだ箱体と、箱体の内部に収納される光源と、光源をオン状態、又はオフ状態に切り替えるスイッチ部４７とからなり、スイッチ部４７に設けられた切替部材４８は回転保持金具と係合する。スイッチ部４７は切替部材４８と、切替部材４８と一体に設けられた金属棒１４２と、リミットスイッチ１４５からなり、金属棒１４２を下に動かしてリミットスイッチ１４５のヘッドを押し出してオン状態にする絞り部１４４とからなり、切替部材４８を金属棒１４２と一体にすることで部材を減らすことが可能である。又、金属棒１４２は弾性部材１４３によって上方向に持ち上げられるため、回転保持金具に設けられた波状切欠部によって照射角度の維持が可能である。
【実施例４】
【００１９】
電気機器収納用筐体の内部に設けられる照明装置であって、照明装置は回転保持構造を設けた回転保持金具によって電気機器収納用筐体に取り付けられると共に点灯、又は消灯の切り替えが可能な照明部とからなり、照明部は開口を設けると共に開口を透過部材によって塞いだ箱体と、箱体の内部に収納される光源と、光源をオン状態、又はオフ状態に切り替えるスイッチ部５７とからなり、スイッチ部５７に設けられた切替部材５８は回転保持金具と係合する。スイッチ部５７は切替部材５８と、切替部材５８と弾性部材１５３を備える金属棒１５２と、リミットスイッチ１５５からなり、金属棒１５２を下に動かすことでリミットスイッチ１５５のヘッドを押さえてオン状態となるように金属棒１５２の下にリミットスイッチ１５５を配するとで、より小さいスペースでの設置が可能である。又、金属棒１４２は弾性部材１５３によって上方向に引っ張られるため、回転保持金具に設けられた波状切欠部によって照射角度の維持が可能である。
【００２０】
以上のように、本発明の回転式照明ユニットは、電気機器収納用筐体の内部に設けられる照明装置であって、照明部を回転可能に設けることで作業者が照射したい箇所を照射することができ、段階的な角度の保持を可能にし、少ないスペースでの設置が可能な回転式照明ユニットを提供できるものである。
【図面の簡単な説明】
【００２１】
【図１】本発明の実施例１における、回転式照明ユニットの分解斜視図である。
【図２】本発明の実施例１における、回転式照明ユニットの使用時の斜視図である。
【図３】本発明の実施例２における、回転式照明ユニットの斜視図である。
【図４】本発明の実施例２における、回転式照明ユニットを前面から見た際のスイッチ部の断面図である。
【図５】本発明の実施例３における、回転式照明ユニットを前面から見た際のスイッチ部の断面図である。
【図６】本発明の実施例４における、回転式照明ユニットを前面から見た際のスイッチ部の断面図である。
【符号の説明】
【００２２】
１、１１、２１    回転保持金具
２、１２、２２    照明部
３、２３    開口
４、２４    透過部材
５、１５、２５    箱体
６    光源
７、３７、４７、５７    スイッチ部
８、１８、２８、３８、４８、５８    切替部材
９、１９、２９    長板部
１０、２０、３０    保持部
１０１、１１１、１２１    波状切欠部
１０２、１１２、１２２、１３２、１４２、１５２    金属棒
１０３、１３３、１４３、１５３    弾性部材
１０４、１３４、１４４、１５４    絞り部
１０５、１３５、１４５、１５５    リミットスイッチ
１２６    ケーブルホルダー部
【図１】
2009217947.tif 000003
【図２】
2009217947.tif 000004
【図３】
2009217947.tif 000005
【図４】
2009217947.tif 000006
【図５】
2009217947.tif 000007
【図６】
2009217947.tif 000008